(57)【要約】【課題】通話記録に関して改良された携帯型電子デバイスおよびその方法を提供すること。【解決手段】改良された携帯型電子デバイスおよびその方法は、折り畳み方式（ｃｏｌｌａｐｓｅｄ  ｍａｎｎｅｒ）で記録された通話に関する情報を提示する改良された通話記録を提供する。折り畳み方式とは、デバイスのメモリに格納された通話記録を有する電話番号毎に、時間的に直前の通話のみが通話記録上にリストされることを意味する。改良された携帯型電子デバイスおよびその方法はまた、改良された通話記録からのコールについて、ユーザによって選択される通話履歴を提供することである。この通話履歴は、選択された通話記録と関係のあるデバイスによって格納されたコールの全てのリストを備える。【選択図】図４
2011109686.tif 000002
【特許請求の範囲】
【請求項１】
本願明細書に記載された方法。
【発明の詳細な説明】
【技術分野】
【０００１】
本発明は、一般的に携帯型電子デバイスに関し、より詳細には、改良された通話記録を有する携帯型電子デバイスに関する。本発明はまた、携帯型電子デバイスで発信したコール、および、携帯型電子デバイスが受信または出られなかったコールに関する情報を記録および表示する方法に関する。
【背景技術】
【０００２】
（関連出願の説明）
多数のタイプの携帯型電子デバイスが知られている。そのような携帯型電子デバイスの例には、例えば、パーソナルデータアシスタント（ＰＤＡ）、携帯型コンピュータ、双方向ポケベル、携帯電話等が含まれる。そのような携帯型電子デバイスは、一般的に持ち運びのできることを目的としているので比較的小さい。多くの携帯型電子デバイスはまた、無線通信ができることを特徴としているが、多くのそのような携帯型電子デバイスは他のデバイスと通信せずに作動するスタンドアロンデバイスである。
【０００３】
多くの携帯型電子デバイスは、携帯電話の機能を備える。そのようなデバイスは、このデバイスが発信したコール、受信したコールおよび／または出られなかったコールのログを格納する場合が多く、これは一般的に通話記録と呼ばれる。この通話記録に含まれる情報は、携帯型電子デバイスのユーザによって選択的にアクセスされ、このユーザに対して表示され得る。そのような情報はユーザにとって有用であり、中でも、もし特定のコールを発信したり、受信したり、あるいはコールに出られなかったりする場合に思い出すのに役立ち、また例えば、関連した電話番号またはそのコールに関連する人の名前、住所またはメールアドレスといったコールに関する情報にアクセスするのに役立つ。
【０００４】
従来技術の通話記録は典型的に、各通話に関連した時間および日付に基づいて年代順に、通常、直前（ｍｏｓｔ  ｒｅｃｅｎｔ）の通話が一番に始まるように通話情報をユーザに表示する。いくつかの従来技術の通話記録は、コールが収まるカテゴリー、すなわち、出られなかったコール、受信したコール、または発信したコールに基づいて記録された通話をグループ化し表示する。この場合において、このコールは依然として典型的に年代順に表示される。しかしながら、周知の従来技術において、同じ発信元またはダイアルした電話番号または連絡した人と関連のある全ての記録された通話をグループ化または結びつけることによって、携帯型電子デバイスのユーザが通話履歴を見て連絡することができるようにする試みは一切されていない。よって、周知の従来技術の通話記録では、ユーザが特定の発信元またはダイアルした電話番号または連絡した人と関連のある通話履歴を知りたいと思う場合、このユーザは、その電話番号または連絡した人を見つけるために、登録したもの全てを年代順に整理された通話記録から手動で検索しなればならない。
【発明の概要】
【課題を解決するための手段】
【０００５】
（本発明の要旨）
改良された携帯型電子デバイスおよびその方法は、折り畳み方式（ｃｏｌｌａｐｓｅｄ  ｍａｎｎｅｒ）で記録された通話に関する情報を提示する改良された通話記録を提供する。折り畳み方式とは、デバイスのメモリに格納されたコール（ｃａｌｌ）を有する電話番号毎に対して、時間的に直前の通話のみが通話記録上にリストされることを意味する。本発明の別の局面は、改良された通話記録からのコールについて、ユーザによって選択される通話履歴を提供することである。この通話履歴は、選択された通話記録と関係のあるデバイスによって格納されたコールの全てのリストを備える。
【０００６】
本発明のこれら局面および他の局面は、携帯型電子デバイスに通話記録を提供する方法が提供され、この方法、複数の発信および着信通話のコール関連情報を格納することであって、このコールのそれぞれは電話番号と関連する、ことと、通話記録のコール（ｃａｌｌ  ｌｏｇ  ｐｈｏｎｅ  ｃａｌｌｓ）のリストを編集（ｃｏｍｐｉｌｅ）することであって、通話記録のコールは電話番号のそれぞれに対する直前の格納されたコールである、ことと、リストを携帯型電子デバイスのユーザに表示することとを包含する。このリストは、通話記録のコールのそれぞれの通話記録情報を含み、この通話記録情報は、このコールの１つ以上の日付および時間と、このコールに関連する電話番号と、このコールに関連する連絡先名とを含み得る。この通話記録は、コールを年代順（ｃｈｒｏｎｏｌｏｇｉｃａｌ  ｏｒｄｅｒ）に表示し得、直前のコールを最初に始まる。この方法は、選択された通話記録のコールのコール関連情報（例えば、日付、時間および選択されたコールに関連する通話時間および電話番号）の部分を表示することをさらに包含し得る。
【０００７】
本発明のさらなる局面に従って、この方法は、ユーザによって選択された通話記録のコールの１つに通話履歴を表示することをさらに包含し得る。この通話履歴は、好ましくは、選択された通話記録のコールの電話番号と関連する格納されたコールの全てのリストを含む。
【０００８】
本発明のさらに別の局面に従って、この方法は、選択された通話記録のコールまたは選択された通話履歴のコールについてユーザオプションのメニューをユーザに提供することを包含し得る。この方法は、ユーザによって選択されるユーザオプションに関連する機能を行うことをさらに包含し得る。
【０００９】
本発明の別の局面に従って、改良された通話記録機能を有する改良された携帯型電子デバイスが提供され、これは、ディスプレイと、プロセッサとプロセッサによって実行可能な１つ以上のアプリケーションを格納するメモリとを備える。この１つ以上のアプリケーションは、上記の通話記録を提供する改良された方法の様々な実施形態を行うための命令を備える。
【００１０】
本発明は、さらに以下の手段を提供する。
【００１１】
（項目１）
携帯型電子デバイス（４）に通話記録（ｃａｌｌ  ｌｏｇ）（５６）を提供する方法であって、
全ての発信および着信コール（ｐｈｏｎｅ  ｃａｌｌ）からの複数のコールに関するコール関連情報を格納することであって、該コールのそれぞれは複数の電話番号の１つと関連する、ことと、
通話記録のコール（ｃａｌｌ  ｌｏｇ  ｐｈｏｎｅ  ｃａｌｌ）（５８）のリストを編集することであって、該通話記録のコール（５８）は該電話番号のそれぞれに対する単一のコール（ｐｈｏｎｅ  ｃａｌｌ）であって、該電話番号のそれぞれに対する該単一のコールは該電話番号の該１つと関連する時間的に直前のコール（ｐｈｏｎｅ  ｃａｌｌ）である、ことと、
該リストを表示することと
を包含する方法。
【００１２】
（項目２）  
上記リストは、上記通話記録のコール（５８）のそれぞれの通話記録情報を含み、該通話記録のコール（５８）のそれぞれの該通話記録情報は、該通話記録のコール（５８）の１つの日付および時間を含む、項目１に記載の方法。
【００１３】
（項目３）  
上記リストは、上記通話記録のコール（５８）のそれぞれの通話記録情報を含み、該通話記録のコール（５８）のそれぞれの該通話記録情報は、該通話記録のコール（５８）の１つと関連する電話番号を含む、項目１に記載の方法。
【００１４】
（項目４）  
上記携帯型電子デバイス（４）は、複数の連絡先名を格納するアドレス帳アプリケーションを有し、上記リストは、上記通話記録のコール（５８）のそれぞれの通話記録情報を含み、該通話記録のコール（５８）のそれぞれの該通話記録情報は、該通話記録のコール（５８）の１つと関連する少なくとも１の電話番号と１つの該連絡先名とを含む、項目１に記載の方法。
【００１５】
（項目５）  
上記携帯型電子デバイス（４）は、複数の連絡先名と、関連する連絡先電話番号とを格納するアドレス帳アプリケーション（５０）を有し、上記リストは、上記通話記録のコール（５８）のそれぞれの通話記録情報を含み、該通話記録のコール（５８）のそれぞれの該通話記録情報は、
（ｉ）該通話記録のコール（５８）の１つと関連のある該電話番号が、該連絡先電話番号の１つと一致する場合、該通話記録のコール（５８）の該１つと関連のある該電話番号と関連のある該連絡先名と、
（ｉｉ）該通話記録のコール（５８）の１つと関連のある該電話番号が、該連絡先電話番号の１つと一致しない場合、該通話記録のコール（５８）の該１つと関連のある該電話番号とを含む、項目１に記載の方法。
【００１６】
（項目６）  
上記リストは、上記通話記録のコール（５８）を、該通話記録のコール（５８）のうち直前のもので始まる年代順にリストする、項目１に記載の方法。
【００１７】
（項目７）  
ユーザによって選択される上記通話記録のコール（５８）の１つのための上記コール関連情報の部分を表示することをさらに包含する、項目１に記載の方法。
【００１８】
（項目８）  
上記コール関連情報の部分は、上記通話記録のコール（５８）の上記選択された１つと関連する日付と、時間と、通話時間と、電話番号とを含む、項目７に記載の方法。
【００１９】
（項目９）  
ユーザによって選択される上記通話記録のコール（５８）の１つのための通話履歴を表示することをさらに包含する、項目１に記載の方法。
【００２０】
（項目１０）  
上記通話履歴は、上記通話記録のコール（５８）の上記選択された１つと関連する上記電話番号と関連する全通話のリストを含む、項目９に記載の方法。
【００２１】
（項目１１）  
上記通話履歴リストは、上記通話のうち直前のもので始まる年代順にある、該通話の直前の通話で始まる、項目１０に記載の方法。
【００２２】
（項目１２）  
上記ユーザによって選択される上記通話履歴リスト上の通話の１つにユーザオプション（６５）のメニュー（６０）を提供することと、
該ユーザによって選択される該ユーザオプションの１つと関連する機能を行うことと
をさらに包含する、項目９に記載の方法。
【００２３】
（項目１３）  
ユーザによって選択される上記通話記録のコール（５８）の１つにユーザオプション（６５）のメニュー（６０）を提供することと、
該ユーザによって選択される該ユーザオプションの１つと関連する機能を行うことと
を包含する、項目１に記載の方法。
【００２４】
（項目１４）  
携帯型電子デバイス（４）であって、
入力装置（１６）と、
ディスプレイ（１２）と、
プロセッサ（２０）と、
該プロセッサ（２０）によって実行可能な１つ以上のアプリケーションを格納するメモリ（４４）とを備え、
該１つ以上のアプリケーションが、
全ての発信および着信コールからの複数のコールに関するコール関連情報を該メモリ（４４）に格納することであって、該コールのそれぞれは電話番号と関連する、ことと、
通話記録のコール（５８）のリストを編集することであって、該通話記録のコール（５８）は該電話番号のそれぞれに対する単一のコールであり、該電話番号のそれぞれに対する該単一のコールは該電話番号の該１つと関連する時間的に直前のコールである、ことと、
該リストを該ディスプレイ（１２）に表示することと、に適合されている、携帯型電子デバイス（４）。
【００２５】
（項目１５）  
上記リストは、上記通話記録のコール（５８）のそれぞれの通話記録情報を含み、該通話記録のコール（５８）のそれぞれの該通話記録情報は、該通話記録のコール（５８）の１つの日付および時間を含む、項目１４に記載の携帯型電子デバイス（４）。
【００２６】
（項目１６）  
上記リストは、上記通話記録のコール（５８）のそれぞれの通話記録情報を含み、該通話記録のコール（５８）のそれぞれの該通話記録情報は、該通話記録のコール（５８）の１つと関連する電話番号を含む、項目１４に記載の携帯型電子デバイス（４）。
【００２７】
（項目１７）  
上記メモリ（４４）は、複数の連絡先名を格納するアドレス帳アプリケーション（５０）を格納し、上記リストは、上記通話記録のコール（５８）のそれぞれの通話記録情報を含み、該通話記録のコール（５８）のそれぞれの該通話記録情報は、該通話記録のコール（５８）の１つと関連する少なくとも１の電話番号と１つの該連絡先名とを含む、
項目１４に記載の携帯型電子デバイス（４）。
【００２８】
（項目１８）  
上記メモリ（４４）は、複数の連絡先名と、関連する連絡先電話番号とを格納するアドレス帳アプリケーション（５０）を格納し、上記リストは、上記通話記録のコール（５８）のそれぞれの通話記録情報を含み、該通話記録のコール（５８）のそれぞれの該通話記録情報は、
（ｉ）該通話記録のコール（５８）の１つと関連のある該電話番号が、該連絡先電話番号の１つと一致する場合、該通話記録のコール（５８）の該１つと関連のある該電話番号と関連のある該連絡先名と、
（ｉｉ）該通話記録のコール（５８）の１つと関連のある該電話番号が、該連絡先電話番号の１つと一致しない場合、該通話記録のコール（５８）の該１つと関連のある該電話番号とを含む、項目１４に記載の携帯型電子デバイス（４）。
【００２９】
（項目１９）  
上記リストは、上記通話記録のコール（５８）を、該通話記録のコール（５８）のうち直前のもので始まる年代順にリストする、項目１４に記載の携帯型電子デバイス（４）。
【００３０】
（項目２０）  
上記１つ以上のアプリケーションは、ユーザが上記入力装置を用いて上記通話記録のコール（５８）の１つを選択することにより、該選択された通話記録のコール（５８）のコール関連情報の部分を上記ディスプレイ（１２）に表示することができるようにさらに構成される、項目１４に記載の携帯型電子デバイス（４）。
【００３１】
（項目２１）  
上記コール関連情報の部分は、上記通話記録のコール（５８）の上記選択された１つと関連する日付と、時間と、通話時間と、電話番号とを含む、項目２０に記載の携帯型電子デバイス（４）。
【００３２】
（項目２２）  
上記１つ以上のアプリケーションは、ユーザが上記入力装置を用いて上記通話記録のコール（５８）の１つを選択することにより、該通話記録のコール（５８）の該選択された１つの通話履歴を上記ディスプレイ（１２）に表示することができるようにさらに構成される、項目１４に記載の携帯型電子デバイス（４）。
【００３３】
（項目２３）  
上記通話履歴は、上記通話記録のコール（５８）の上記選択された１つと関連する上記電話番号と関連する全通話のリストを含む、項目２２に記載の携帯型電子デバイス（４）。
【００３４】
（項目２４）  
上記通話履歴リストは、直前の通話で始まる年代順である、項目２３に記載の携帯型電子デバイス（４）。
【００３５】
（項目２５）  
上記１つ以上のアプリケーションは、上記ユーザが上記入力装置（１６）を用いて上記通話履歴リストのコールの１つを選択することにより、該コールの該選択された１つについてユーザオプション（６５）のメニュー（６０）を上記ディスプレイ（１２）に表示することができるように、および、該ユーザが該入力装置（１６）を用いて該ユーザオプション（６５）の１つを選択することにより、該ユーザオプション（６５）の該選択された１つと関連する機能を行うことができるようにさらに適合されている、項目２３に記載の携帯型電子デバイス（４）。
【００３６】
（項目２６）  
上記１つ以上のアプリケーションは、ユーザが上記入力装置（１６）を用いて上記通話記録のコール（５８）の１つを選択することにより、該通話記録のコール（５８）の該選択された１つについてユーザオプション（６５）のメニュー（６０）を上記ディスプレイ（１２）に表示することができるように、および、該ユーザが該ユーザオプション（６５）の１つを選択することにより、該ユーザオプションの該選択された１つと関連する機能を行うことができるようにさらに適合されている、項目１４に記載の携帯型電子デバイス（４）。
（摘要）
改良された携帯型電子デバイスおよびその方法は、折り畳み方式で記録された通話に関する情報を提示する改良された通話記録を提供する。折り畳み方式とは、デバイスのメモリに格納されたコール（ｃａｌｌ）を有する電話番号毎に、時間的に直前の通話のみが通話記録上にリストされることを意味する。改良された携帯型電子デバイスおよびその方法はまた、改良された通話記録からのコールについて、ユーザによって選択される通話履歴を提供することである。この通話履歴は、選択された通話記録と関係のあるデバイスによって格納されたコールの全てのリストを備える。
【図面の簡単な説明】
【００３７】
【図１】本発明に従う改良された携帯型電子デバイスの正面図である。
【図２】図１の携帯型電子デバイスのブロック図である。
【図３】本発明に従う通話記録を示す図１の携帯型電子デバイスのディスプレイの一部分を示す図である。
【図４】本発明に従う通話記録を生成し表示する図１の携帯型電子デバイスのプロセッサによって実行されたルーチンの一部分を示すフローチャートである。
【図５】本発明に従う通話記録およびユーザオプションメニューを示す図１の携帯型電子デバイスのディスプレイの一部分を示す図である。
【図６】本発明に従う通話履歴を生成し表示する図１の携帯型電子デバイスのプロセッサによって実行されたルーチンの一部分を示すフローチャートである。
【図７】本発明に従う通話履歴を示す図１の携帯型電子デバイスのディスプレイの一部分を示す図である。
【発明を実施するための形態】
【００３８】
好ましい実施形態に関する以下の説明を添付の図面と併せて読むことにより、本発明は完全に理解され得る。
【００３９】
類似した参照番号は本明細書中で類似部分を指す。
【００４０】
本発明に従う改良された携帯型電子デバイス４は、一般的に図１および図２に示される。携帯型電子デバイス４は、ハウジング８と、ディスプレイ１２と、入力装置１６と、この限りではないがマイクロプロセッサ（μＰ）であり得るプロセッサ２０（図２）とを備える。プロセッサ２０は、入力装置１６から受信した入力に応答して、ディスプレイ１２に出力する。開示を明確にするために、ここでは様々なタイプの情報を表示する例示的なディスプレイ１２が参照されているが、そのような情報は格納されたり、ハードコピーに印刷されたり、コンピュータにより修正されたり、あるいは他のデータと併用されたりし得、そのような処理は全て本明細書で用いられる「ディスプレイ」または「表示する」という用語に収まるとみなされることが理解されよう。携帯型電子デバイスの例には、ここに援用される米国特許第６,４５２,５８８号と、米国特許第６,４８９,９５０号とが含まれる。携帯型電子デバイス４は、携帯電話機能を備えるタイプのものであり、以下でより詳細に説明されるように、これは本発明に従う改良された通話記録を提供する。本明細書において、用語「電話（ｐｈｏｎｅ）」および「電話（ｔｅｌｅｐｈｏｎｅ）」は、有線ネットワークおよび／または無線ネットワーク上で開始され行われた音声通信のうちいずれのタイプも指す。
【００４１】
図１から理解されるように、入力装置１６は、複数のキー２６を有するキーボード２４と、回転可能サムホイール２８とを備える。本明細書において、「キー」という表現およびその変形は、この限りではないがボタン、スイッチ等といった様々な入力部分のいずれかを広く指す。キー２６および回転可能サムホイール２８は、入力装置１６の入力部分であり、この入力部分のそれぞれは割り当てられた機能を有する。本明細書において、「機能」という表現およびその変形は、アプリケーションプログラム、プロセス、タスク、手順、ルーチン、サブルーチン、ファンクションコール、あるいは携帯型電子デバイス４のプロセッサ２０によって行われ得る他のタイプのソフトウェアまたはファームウェアオペレーションのいずれのタイプをも指し得る。
【００４２】
図２に示されるように、プロセッサ２０はメモリ４４と電子通信状態にある。メモリ４４は、この限りではないが、ＲＡＭ、ＲＯＭ、ＥＰＲＯＭ、ＥＥＰＲＯＭ等といった様々なタイプの内部記憶媒体および／または外部記憶媒体のいずれかであり得、これは例えば、コンピュータの内部記憶領域の方法でデータ記憶のためのストレージレジスタを提供し、かつ、揮発性メモリまたは不揮発性メモリであり得る。メモリ４４は、データを処理するプロセッサ２０によって実行可能な多数のアプリケーションをさらに備える。このアプリケーションは、この限りではないが、ソフトウェア、ファームウェア等といった様々な形式のいずれかであり得、本明細書における「アプリケーション」という用語は、１つ以上のルーチン、サブルーチン、ファンクションコール等を単独または組み合わせて備える。
【００４３】
さらに図２に示されるように、プロセッサ２０は、通信サブシステム４５と電子通信状態にある。データ通信と音声通信とを含む携帯型電子デバイス４の通信機能は、通信サブシステム４５を介して行われる。通信サブシステム４５は、トランスミッタと受信器と（１つのトランシーバーコンポーネントに結合されていることもある）１つ以上のアンテナとを備える。デジタル信号プロセッサおよび局部発振器といった他の周知のコンポーネントもまた、通信サブシステム４５の一部であり得る。通信サブシステム４５の特定の設計および実施は、携帯型電子デバイス４が動作しようとする通信ネットワークによって決定する。例えば、携帯型電子デバイス４は、Ｍｏｂｉｌｔｅｘ（商標登録）、Ｄａｔ  ＴＡＣ（商標登録）またはジェネラルパケットラジオサービス（ＧＰＲＳ）移動データ通信ネットワークと動作するように設計された通信サブシステム４５、あるいは、ＡＭＰＳ、ＴＤＭＡ、ＣＤＭＡ、ＰＣＳ、ＧＳＭ、および他の適切なネットワークといった様々な音声通信ネットワークのいずれかと動作するように設計された通信サブシステム４５を備え得る。他のタイプのデータネットワークおよび音声ネットワークもまた、個別でも、統合されていても、携帯型電子デバイス４で利用され得る。プロセッサ２０、メモリ４４および通信サブシステム４５は総合して、（様々なタイプの機能を有する）他のコンポーネントとともに、プロセッシングユニットと呼ばれ得る。
【００４４】
図１において、ディスプレイ１２は、電話アプリケーション４８およびアドレス帳アプリケーション５０を表すアイコンを含む別個のアイコン４６で示された多数のアプリケーションを備えるテレビ（ｈｏｍｅ  ｓｃｒｅｅｎ）４３を表示するものとして示される。技術分野で周知のように、アドレス帳アプリケーション５０は、携帯型電子デバイス４のユーザが、多数の「連絡先」の情報（数ある中でも、連絡先の名前、電話番号、家および会社の住所、メールアドレス、および人に連絡するために用いられ得る他の情報を含む）を格納することを可能にする。図１において、テレビ４３は現在アクティブであり、アプリケーションの一部分を構成する。加えて、図１に示されるディスプレイ１２は、現在携帯型電子デバイス４に電話がかかってきていることを示すポップアップボックス５２を示す。ポップアップボックス５２は、発信者および電話番号が携帯型電子デバイス４のアドレス帳アプリケーション５０によって連絡先として格納されている場合、例えば、発信者の電話番号および識別情報を含むコールの着信に関するある情報を提供する。電話アプリケーション４８またはアドレス帳アプリケーション５０といった他のアプリケーションは、入力装置１６から入力することによってテレビ４３から開始され得、例えば、サムホイール２８を回転させ、図１の矢印５４によって示される方向にサムホイール２８を動かすことによって選択入力を提供することによって入力する。
【００４５】
電話アプリケーション４８は、携帯型電子デバイス４でかけたコールの発信、および携帯型電子デバイス４が受信したまたは出られなかったコールの着信の全てに関するある情報をメモリ４４に格納する。格納された情報には、この限りではないが、コールの日付および時間、通話に関連する電話番号、通話時間が含まれ得る。携帯型電子デバイス４の電話アプリケーション４８は、携帯型電子デバイス４を用いてかけたコールの発信および携帯型電子デバイス４によって受信したおよび／または出られなかったコールの着信に関する情報を携帯型電子デバイス４のユーザに提供する改良された通話記録を提供するルーチンを備える。
【００４６】
図３は、本発明に従って複数のコール５８を含む通話記録５６を示すディスプレイ１２の例示的な図である。通話記録５６は、記録された通話を折り畳み方式で表示し、これは、電話アプリケーション４８によってメモリ４４に格納されたコール（ａ  ｃａｌｌ  ｏｒ  ｃａｌｌｓ）に関する情報を有する電話番号毎に、時間的に直前のコール５８のみが通話記録５６上にリストされることを意味する。よって、メモリ４４に格納されたコール（ａ  ｃａｌｌ  ｏｒ  ｃａｌｌｓ）に関する情報を有するそれぞれ個々の電話番号は、通話記録５６において１つのエントリーを有する。好ましくは、通話記録５６上にリストされた通話記録のコール５８のそれぞれは、コールの日付および時間を含み、アイコンは、コールの性質（すなわち、かけたコールなのか、受け取ったコールなのか、あるいは出られなったコールなのか）と、その人とその人の電話番号とがアドレス帳アプリケーション５０によって連絡先として格納されている場合には、発信者または電話をかけた相手の名前とを、もしくは、発信者または電話をかけた相手が連絡先として格納されていない場合には、そのコールに関連する電話番号とを示す。また、通話記録５６は、好ましくは、直前のコールが最初に始まるように年代順に通話記録のコール５８をリストする。以下でより詳細に説明されるように、携帯型電子デバイス４のユーザは、通話記録５６から特定のコール５８を選択して、その選択されたコール５８に関連する通話履歴をディスプレイ１２に表示させ得る。特に、表示された通話履歴は、選択されたコール５８に関連する電話番号と関係のあるメモリ４４に格納された着信および発信した全てのコールをリストする。通話履歴におけるコールは、好ましくは、年代順にリストされ、（理解されるように、通話記録５６から選択されたコール５８である）直前のコールで始まる。
【００４７】
本発明の通話記録５６を生成し実施するプロセッサ２０によって行われたルーチンを示すフローチャートが図４に示される。一実施形態において、図４のルーチンが開始されて、通話記録５６は、電話アプリケーション４８が携帯型電子デバイス４のユーザによって起動されるときにはいつでも生成されるので、通話記録５６は、電話アプリケーション４８のためにディスプレイ１２に提供されたデフォルトの初期ビューである。あるいは、図４に示されたルーチンが開始され得、通話記録５６は、電話アプリケーション４８のある他の部分からユーザによる要求に応じて生成されて表示され得る。
【００４８】
図４に示されるように、この方法はステップ１００で始まる。ここで、プロセッサ２０は、１つ以上の関連したコールがメモリ４４に格納されている電話番号毎に着信または発信する直前のコールに関する情報をメモリ４４から取得する。次に、ステップ１０２において、１つ以上の関連したコールがメモリ４４に格納されている電話番号毎に時間的に直前のコールを含むリストが、編集され、通話記録５６としてディスプレイ１２に表示される。上記のように、通話記録５６の一例が図３に示される。本明細書において、「リスト」という用語は、所定の順番で、あるいはバラバラの順番で次々に一連の情報の項目を編集したものを指す。
【００４９】
次に、ステップ１０４において、通話記録５６に一項目として含まれたコール５８の１つが、ユーザが例えば、入力装置１６を用いてコール５８を反転表示させることによって選択されるかどうかについて判定される。ステップ１０４における答えがノーである場合、次いでステップ１０６において、通話記録５６が電話アプリケーション４８のデフォルトビューで表示される実施形態において、電話アプリケーション４８を終了させるか、または、通話記録５６が電話アプリケーション４８のデフォルトビューで表示されないが、むしろユーザによって選択される必要がある実施形態において、通話記録ビューを終了させる（そして、デフォルト電話アプリケーションビューに戻る）ようにユーザが入力装置１６を用いて要求をしたかどうかについて判定される。ステップ１０６における答えがイエスである場合、次いで適切な終了工程がステップ１０８において行われる。答えがノーである場合、次いでこの方法はステップ１０２に戻り、通話記録５６を表示し続ける。
【００５０】
しかしながら、ステップ１０４における答えがイエスである場合、これは、コール５８がユーザによって選択されたことを意味するが、次いでステップ１１０において、ユーザオプション６５のメニュー６０が図５に示されるようにディスプレイ１２に表示される。ユーザオプション６５は、ユーザオプション６５の１つを選択することによって実行され得る携帯型電子デバイス４の多数の異なる機能を備える。図５に示されるように、そのような機能は、この限りではないが、メニュー６０を閉じることと、アドレス帳アプリケーション５０によって格納された連絡先から選択したものに電話することと、ユーザのボイスメールをすることと、コール５８にリストされた連絡先にコールすることと、ショートメッセージサービス（ＳＭＳ）メッセージを作成して、コール５８にリストされた連絡先に送信することと、コール５８を開けて、メモリ４４に格納されているコール５８に関連する詳細なコール情報を表示することと、以下でより詳細に説明するように、コール５８の通話履歴を作成してディスプレイ１２に表示することと、コール５８に関連のある電話番号を電話アプリケーション４８によって維持されるスピードダイアルリストに加えることと、コール５８を通話記録５６から削除することと、電話アプリケーション４８によって維持されるスピードダイアルリストを見ることと、電話アプリケーション４８の操作オプションを見て変更することと、例えば、最後のコールの通話時間、全通話時間の総分数、および携帯型電子デバイス４の電話番号に関するステータス情報を見ることと、ユーザにヘルプを提供することと、電話アプリケーション４８を閉じることとのための携帯型電子デバイス４のアプリケーションを起動することを包含する。次に、図４のステップ１１２において、携帯型電子デバイス４は、選択されたユーザオプション６５が何であろうとも、それと関連のある機能を行う。
【００５１】
図６を参照して、本発明に従う通話履歴を表示するプロセッサ２０によって行われたルーチンを示すフローチャートが示される。このルーチンは、メニュー６０（図５）の「ビュー履歴」ユーザオプション６５が特定のコール５８が選択された後にユーザによって選択されると、起動する。ステップ１１４において、プロセッサ２０は、選択されたコール５８の電話番号と関連する全てのコールの通話情報をメモリ４４から取得する。代わりに、選択されたコール５８の電話番号が、アドレス帳アプリケーション５０によって格納された連絡先の電話番号と一致する場合、その連絡先と関連する全てのコールの通話情報がステップ１１４において取得され得る。ステップ１１６において、ステップ１１４で取得したコールのリストが作成され、図７に示されるように、他の情報とともにディスプレイ１２に表示される。図７で示されるように、コールのリストに加えて、通話履歴は、この限りではないが、選択されたコール５８と関連する名前および電話番号と、前回のコールの性質（すなわち、かけたコールなのか、受け取ったコールなのか、あるいは出られなったコールなのか）および通話時間と、履歴に含まれるコールの回数とを含み得る。次に、図６のステップ１１８において、表示されたリストからの特定のコールが選択されるかどうかについて判定される。コールが１つも選択されない場合、次いでステップ１２０において、ユーザが通話履歴の機能を終了させる要求をしたかどうか判定される。答えがイエスの場合、次いでステップ１２２において、この方法は、通話記録５６が表示される図４のステップ１０２に戻る。しかしながら、表示されたリストからのコールがステップ１１８において判定されるときに選択される場合、次いでステップ１２４において、ユーザオプションのメニューが表示され、これは図５に示されるユーザオプション６５のメニュー６０に類似する。次に、ステップ１２６において、携帯型電子デバイス４は、選択されたユーザオプションが何であろうともそれを行う。
【００５２】
以上のように、本発明は、記録された通話のビューに基づいて連絡先および／または電話番号をユーザに与える折り畳み式通話記録を提供する機能を有する携帯型電子デバイスを提供する。この方法で、ユーザは、特定の連絡先および／または発信元の電話番号またはダイアルした電話番号と関連のある記録された通話全てのための機能に容易にアクセスし、閲覧し、および要求し得る。
【００５３】
本発明の特定の実施形態について詳細に述べてきたが、本明細書の教示全体に照らして様々な改変および変更がこれら実施形態に対して当業者によって行われ得ることが理解される。従って、開示されたこの特定の実施形態は、例示目的のみのものであり、本明細書中の請求範囲および均等物の全てにより定義される本発明の範囲を限定するよう意図されたものではない。
【符号の説明】
【００５４】
４  携帯型電子デバイス
８  ハウジング
１２  ディスプレイ
１６  入力装置
２０  プロセッサ
２４  キーボード
２６  キー
２８  回転可能サムホイール
４３  テレビ
４４  メモリ
４５  通信サブシステム
４６  アイコン
４８  電話アプリケーション
５０  アドレス帳アプリケーション
５２  ポップアップボックス
５４  矢印
５６  通話記録
５８  コール
【図１】
2011109686.tif 000003
【図２】
2011109686.tif 000004
【図３】
2011109686.tif 000005
【図４】
2011109686.tif 000006
【図５】
2011109686.tif 000007
【図６】
2011109686.tif 000008
【図７】
2011109686.tif 000009